(57)【要約】 【課題】カップリングラインとコネクタブロックの連結を簡単な連結構造とし、しかも防水構造として製品コストを低くするとともに、カップリングラインとコネクタブロックの連結構造を柔軟なフレキシブルなものとして外力に対して安定性のある新規な同軸用結合器を提供する。【解決手段】カップリングライン１の両端をコネクタブロック２の連結孔１７に挿入連結してある同軸用結合器であって、上記挿入連結部を柔軟なフレキシブル構造として外力に対して信頼性を付与してあるとともに上記挿入連結部を防水構造としてある。【選択図】図３
2007281834.tif 000002
【特許請求の範囲】
【請求項１】
カップリングラインの両端をコネクタブロックの連結孔に挿入連結してある同軸用結合器であって、上記挿入連結部を柔軟なフレキシブル構造として外力に対して信頼性を付与してあるとともに上記挿入連結部を防水構造としてある同軸用結合器。
【請求項２】
上記カップリングラインの端部に円筒状の接続コンタクトを嵌装し、該接続コンタクトの先端円筒部に複数の縦方向のスリ割部を形成し、この縦方向のスリ割部により上記挿入連結部を柔軟なフレキシブル構造としてあり、この接続コンタクトとコネクタブロックとの間にＯリングを介在して防水構造としてある上記請求項１に記載の同軸用結合器。
【請求項３】
上記接続コンタクトの先端円筒部の外側に僅かに膨らむ膨出部を設けてある上記請求項２に記載の同軸用結合器。
【請求項４】
上記カップリングラインとコネクタブロックとの間に弾性支持部材を介在して上記挿入連結部を柔軟なフレキシブル構造とし、カップリングラインとコネクタブロックとの間にＯリングを介在して防水構造としてある上記請求項１に記載の同軸用結合器。
【請求項５】
上記弾性部材を、板バネを円筒状に湾曲して構成し、複数個の内向き打ち抜き片を設け、この打ち抜き片をカップリングラインに平行する形状の支持片としてなる上記請求項４に記載の同軸用結合器。
【請求項６】
上記カップリングラインとコネクタブロックとの間に導電樹脂材料からなるリングを介在して上記挿入連結部を柔軟なフレキシブル構造とし、防水構造としてある上記請求項１に記載の同軸用結合器。
【発明の詳細な説明】
【技術分野】
【０００１】
本発明は、カップリングラインの両端をコネクタブロックの連結孔に挿入連結してある同軸用結合器に関する。
【背景技術】
【０００２】
カップリングラインの両端をコネクタブロックの連結孔に挿入連結してある同軸用結合器は公知である。この従前公知の同軸用結合器は、カップリングラインの端部をコネクタブロックの連結孔に挿入連結して、これらを固定するためカップリングラインをコネクタブロックにハンダ付け構造にしていた。
【発明の開示】
【発明が解決しようとする課題】
【０００３】
このカップリングラインとコネクタブロックをハンダ付けした構造の従前の同軸用結合器は、防水構造ではなく、防水構造にするためには防水用の外ケースが必要となり、製品コストが高くなるという課題がある。また、上記のハンダ付け構造では、コネクタサイズが大きい場合は、ハンダ付けのために大きい熱容量が必要であり、コネクタサイズに制限があるという課題がある。さらに、上記のハンダ付け構造では、カップリングラインとコネクタブロックの連結部分が外力に対して信頼性がなく、片寄った力が働くと破損し易いという課題もある。
本発明は、上記課題に鑑み、カップリングラインとコネクタブロックの連結を簡単な連結構造とし、しかも防水構造として製品コストを低くするとともに、カップリングラインとコネクタブロックの連結構造を柔軟なフレキシブルなものとして外力に対して安定性のある新規な同軸用結合器を提供するものである。
【課題を解決するための手段】
【０００４】
そのために、本発明同軸用結合器は、カップリングラインの両端をコネクタブロックの連結孔に挿入連結してある同軸用結合器であって、上記挿入連結部を柔軟なフレキシブル構造として外力に対して信頼性を付与してあるとともに上記挿入連結部を防水構造としてある。
【０００５】
同じく、本発明同軸用結合器は、上記カップリングラインの端部に円筒状の接続コンタクトを嵌装し、該接続コンタクトの先端円筒部に複数の縦方向のスリ割部を形成し、この縦方向のスリ割部により上記挿入連結部を柔軟なフレキシブル構造としてあり、この接続コンタクトとコネクタブロックとの間にＯリングを介在して防水構造としてある。
上記接続コンタクトの先端円筒部の外側に僅かに膨らむ膨出部を設けてある。
【０００６】
また、本発明同軸用結合器は、上記カップリングラインとコネクタブロックとの間に弾性支持部材を介在して上記挿入連結部を柔軟なフレキシブル構造とし、カップリングラインとコネクタブロックとの間にＯリングを介在して防水構造としてある。
上記弾性部材を、板バネを円筒状に湾曲して構成し、複数個の内向き打ち抜き片を設け、この打ち抜き片をカップリングラインに平行する形状の支持片としてある。
【０００７】
さらに、本発明同軸用結合器は、上記カップリングラインとコネクタブロックとの間に導電樹脂材料からなるリングを介在して上記挿入連結部を柔軟なフレキシブル構造とし、防水構造としてある。
【発明の効果】
【０００８】
本発明同軸用結合器は、カップリングラインの両端をコネクタブロックの連結孔に挿入連結してある同軸用結合器であって、上記挿入連結部を柔軟なフレキシブル構造として外力に対して信頼性を付与してあるとともに上記挿入連結部を防水構造としてあるから、外力に対して安定性があり、防水構造によって外ケースが不要であり、製品コストを安価にすることができる効果がある。
【０００９】
また、本発明同軸用結合器は、上記カップリングラインの端部に円筒状の接続コンタクトを嵌装し、該接続コンタクトの先端円筒部に複数の縦方向のスリ割部を形成し、この縦方向のスリ割部により上記挿入連結部を柔軟なフレキシブル構造としてあり、この接続コンタクトとコネクタブロックとの間にＯリングを介在して防水構造としてあるから、外力に対して安定性があり、防水構造によって外ケースが不要であり、製品コストを安価にすることができることは勿論、どのような寸法のコネクタブロックのサイズにも簡単な構造で上記挿入連結部を構成でき、コネクタブロックのサイズの制限は受けない効果がある。
さらに、本発明同軸用結合器は、上記接続コンタクトの先端円筒部の外側に僅かに膨らむ膨出部を設けてあるから、上記挿入連結部のフレキシブルな柔軟性をより大きくすることができ、より外力に対して高い安定性が得られる。
【００１０】
また、本発明同軸用結合器は、上記カップリングラインとコネクタブロックとの間に弾性支持部材を介在して上記挿入連結部を柔軟なフレキシブル構造とし、カップリングラインとコネクタブロックとの間にＯリングを介在して防水構造としてあるから、また、上記弾性部材を、板バネを円筒状に湾曲して構成し、複数個の内向き打ち抜き片を設け、この打ち抜き片をカップリングラインに平行する形状の支持片としてあるから、外力に対して安定性があり、防水構造によって外ケースが不要であり、製品コストを安価にすることができることは勿論、どのような寸法のコネクタブロックのサイズにも簡単な構造で上記挿入連結部を構成でき、コネクタブロックのサイズの制限は受けない効果があることは勿論、カップリングラインの端部をコネクタブロックに挿入連結するだけでよいから、組み立て、解体作業を楽になし得る効果を有する。
【００１１】
同じく、本発明同軸用結合器は、上記カップリングラインとコネクタブロックとの間に導電樹脂材料からなるリングを介在して上記挿入連結部を柔軟なフレキシブル構造とし、防水構造としてあるから、外力に対して安定性があり、防水構造によって外ケースが不要であり、製品コストを安価にすることができることは勿論、どのような寸法のコネクタブロックのサイズにも簡単な構造で上記挿入連結部を構成でき、コネクタブロックのサイズの制限は受けない効果があることは勿論、同様に、カップリングラインの端部をコネクタブロックに挿入連結するだけでよいから、組み立て、解体作業を楽になし得る効果を有する。
【発明を実施するための最良の形態】
【００１２】
カップリングライン１の両端をコネクタブロック２，２の連結孔１７に挿入連結してあり、この挿入連結部を柔軟なフレキシブル構造にして外力に対して信頼性を付与してあるとともに、上記挿入連結部を防水構造としてある。
【実施例１】
【００１３】
図面に示した好ましい実施例により本発明の詳細を説明する。
図１〜図５に実施例１を示してあり、カップリングライン１の両端にコネクタブロック２，２を連結してあり、図１にコネクタブロック２，２間にカップリングライン１を保護する中空シャフト３が介在する斜面図が示してある。
コネクタブロック２，２間にカップリングライン１が連結してあり、このカップリングライン１は公知のカップリングラインと同様、中心に芯線４を有し、その外側に絶縁体５と外部導体６を有する。外部導体６の両端と絶縁体５との間には段７が形成される。
【００１４】
カップリングライン１の両端には接続コンタクト８が嵌装してある。この接続コンタクト８は本体円筒部９と先端円筒部１０とからなり、この先端円筒部１０に複数の縦方向のスリ割り部１１を形成してある。図示した実施例では６本のスリ割り部１１を有する。また、この先端円筒部１０の外側には僅かに膨らむ膨出部１２を有する。図示した実施例では膨出部１２をスリ割り部１１と直交する突条として形成してある。
また、本体円筒部９の内側には、接続コンタクト８をカップリングライン１の端部に嵌装したときに、カップリングライン１の段７と係合する段１３を形成してあり、本体円筒部９の外側には、Ｏリング１４を嵌め込むための溝１５を形成する突条１６を設けてある。図示実施例では３つの突条１６により２つの溝１５を形成し、２つのＯリング１４を嵌め込むようにしてある。
【００１５】
カップリングライン１は、その両端に接続コンタクト８，８を嵌装して、この端部をコネクタブロック２の連結孔１７に挿入連結してある。図２に示すように接続コンタクト８の１つのＯリング１４がコネクタブロック２の連結孔１７を形成する内壁に密接し、水密構造にしてあると共に、もう１つのＯリング１４が中空シャフト３の内面に密接し、水密構造にしてある。
接続コンタクト８，８の先端円筒部１０がカップリングライン１の端部の絶縁体５に嵌装するが、この嵌装が緊密な嵌装でなく、僅かに隙間のある嵌装にしてある。好ましくは絶縁部５と接続コンタクト８の先端円筒部１０の間に０．１２ｍｍ程の隙間があるとよい。そして先端円筒部１０の外側の膨出部１２がコネクタブロック２の連結孔１７の内壁と密接するようにしてある。即ち、この連結構造によりカップリングライン１とコネクタブロック２との連結が緊密な強固なものでなく、柔軟なフレキシブルな連結構造をなす。この他図中１８は下プレートであり、１９は上カバーである。
【００１６】
上記の構成からなる実施例１では，接続コンタクト８の先端円筒部１０が複数の縦方向のスリ割部１１を有し、この縦割スリットを有する先端円筒部９がカップリングライン１の端部に嵌装し、この端部をコネクタブロックの連結孔７に挿入連結してあるから、コネクタブロックに対してカップリングラインに片寄った外力が加わったとしても、この挿入連結部は柔軟でフレキシブルであるから、柔軟性があり外力に対して高い安定性が得られる。
【実施例２】
【００１７】
図６〜図８に、上記挿入連結構造の別の実施例２を示してある。この実施例２ではコネクタブロック２の連結孔１７内に弾性支持部材２０を組み込んである。この弾性支持部材２０は板バネ２１を円筒状に湾曲して構成し、この板バネ２１に複数個の内向きの打ち抜き片２２，２２を打ち抜き形成し、この打ち抜き片２２をカップリングライン１に平行する形状の支持片２３，２３としてある。これら支持片２３，２３内にカップリングライン１の端部が弾性的に挿入連結され、カップリングライン１とコネクタブロック２との間に隙間を形成してある。従って支持片２３，２３の向きはコネクタブロック２の外側から内側に指向している方がこの支持片２３，２３間にカップリングライン１を挿入連結するのに便利である。またＯリング１４がコネクタブロック２とカップリングライン１間及び中空シャフト３とカップリングライン１間に介在し、水密構造としてある。
上記のカップリングライン１とコネクタブロック２との挿入連結部の構造であれば、フレキシブルであり外力に対して高い安定性が得られる。
【実施例３】
【００１８】
図９に上記挿入連結構造のさらに別の実施例３を示してある。この実施例３では、コネクタブロック２の連結孔１７内に導電樹脂材料からなるリング２４を組み込んである。この導電樹脂材料からなるリング２４内にカップリングライン１を挿入連結してあり、リング２４の内径を連結孔１７の内径より小さくしてあり、カップリングライン１とコネクタブロック２との間に隙間を形成してある。そして、このリング２４が防水構造を構成してある。上記のカップリングライン１とコネクタブロック２との挿入連結構造であれば、フレキシブルであり外力に対して安定性が得られる。
【図面の簡単な説明】
【００１９】
【図１】本発明同軸用結合器の実施例１の外観を示す斜視図。
【図２】同じく実施例１を半断面にして示す正面図。
【図３】同じく実施例１をカップリングラインを除いて断面で示す分解正面図。
【図４】実施例１の要部となる接続コンタクトを示す斜視図。
【図５】同じく接続コンタクトの半断面正面図。
【図６】本発明同軸用結合器の実施例２の挿入連結部を示す断面図。
【図７】実施例２の弾性支持部材を示す側面図。
【図８】図７上のＡ−Ａ線に沿う断面図。
【図９】本発明同軸用結合器の実施例３の挿入連結部を示す断面図。
【符号の説明】
【００２０】
１  カップリングライン
２  コネクタ
３  中空シャフト
４  芯線
５  絶縁体
６  外部導体
７  段
８  接続コンタクト
９  本体円筒部
１０  先端円筒部
１１  スリ割り部
１２  膨出部
１３  段
１４  Ｏリング
１５  溝
１６  突条
１７  連結孔
１８  下プレート
１９  上カバー
２０  弾性支持部材
２１  板バネ
２２  打ち抜き片
２３  支持片
２４  リング
【図１】
2007281834.tif 000003
【図２】
2007281834.tif 000004
【図３】
2007281834.tif 000005
【図４】
2007281834.tif 000006
【図５】
2007281834.tif 000007
【図６】
2007281834.tif 000008
【図７】
2007281834.tif 000009
【図８】
2007281834.tif 000010
【図９】
2007281834.tif 000011